(57)【要約】      （修正有）【課題】建築物の土台等の下部を占める基礎構造体の床下空間領域の内壁面や内底面全体を、現場発泡施工による密閉構造とし、特に優れた防湿効果を発揮させ、併せて断熱効果、防虫（防蟻）効果を発揮させることができる建築物の床下密閉構造を提供する。【解決手段】床下密閉構造は、土地上に構築した建築物２１における土台２２等の下部で地面２とともに床下空間領域３を画するとともに床下空間領域３を外気に連通させる通気口６を設けた建築物のコンクリート等の基礎構造体１用の床下密閉構造１１であって、コンクリート等の基礎構造体１の内部の地面２全体に敷設した防湿用の下地処理材１２と、通気口６を床下空間領域３側から閉塞する閉塞板１３と、コンクリート等の基礎構造体１の床下空間領域３に臨む内壁面及び閉塞板１３の板面全体、並びに下地処理材１２の上面全体に設けた現場発泡施工による硬質発泡ウレタン層１４とを有する。【選択図】図１
0003187597.tif 000002
【実用新案登録請求の範囲】
【請求項１】
土地上に構築した建築物における土台の下部で地面とともに床下空間領域を画する建築物の基礎構造体用の床下密閉構造であって、
前記基礎構造体内部の地面全体に敷設した防湿用の下地処理材と、
前記基礎構造体の床下空間領域に臨む内壁面全体及び前記下地処理材の上面全体に設けた現場発泡施工による硬質発泡ウレタン層と、
を有することを特徴とし、
前記基礎構造体の床下領域部分に配設した防湿材と、床下空間領域の内壁面及び内底面全体に配設した硬質発泡ウレタン層とをもって、床下空間領域を密閉構造とし、床下空間領域に対して特に防湿効果を発揮させ、併せて断熱効果、防虫効果を発揮させることができるようにしたことを特徴とする建築物の床下密閉構造。
【請求項２】
土地上に構築した建築物における土台の下部で地面とともに床下空間領域を画するとともに床下空間領域を外気に連通させる通気口を設けた建築物の基礎構造体用の床下密閉構造であって、
前記基礎構造体内部の地面全体に敷設した防湿用の下地処理材と、
前記通気口を床下空間領域側から閉塞する閉塞板と、
前記基礎構造体の床下空間領域に臨む内壁面及び前記閉塞板の板面全体、並びに前記下地処理材の上面全体に設けた現場発泡施工による硬質発泡ウレタン層と、
を有することを特徴とし、
前記基礎構造体の床下領域部分に配設した防湿材と、床下空間領域の内壁面及び内底面全体に配設した硬質発泡ウレタン層とをもって、床下空間領域を密閉構造とし、床下空間領域に対して特に防湿効果を発揮させ、併せて断熱効果、防虫効果を発揮させることができるようにしたことを特徴とする建築物の床下密閉構造。
【請求項３】
土地上に構築した建築物における土台の下部で外周を画する基礎梁及び該基礎梁に連続して内底部を形成する基礎スラブにより床下空間領域を画する船底型の建築物の基礎構造体用の床下密閉構造であって、
前記基礎構造体の床下空間領域に臨む基礎梁の内壁面全体及び基礎スラブの内底面全体に設けた現場発泡施工による硬質発泡ウレタン層と、
を有することを特徴とし、
前記基礎構造体の床下領域部分に配設した防湿材と、床下空間領域の内壁面及び内底面全体に配設した硬質発泡ウレタン層とをもって、床下空間領域を密閉構造とし、床下空間領域に対して特に防湿効果を発揮させ、併せて断熱効果、防虫効果を発揮させることができるようにしたことを特徴とする建築物の床下密閉構造。
【請求項４】
土地上に構築した建築物における土台の下部で外周を画し外気に連通させる通気口を設けた基礎梁及び該基礎梁に連続して内底部を形成する基礎スラブにより床下空間領域を画する船底型の建築物の基礎構造体用の床下密閉構造であって、
前記通気口を床下空間領域側から閉塞する閉塞板と、
前記基礎構造体の床下空間領域に臨む内壁面及び前記閉塞板の板面全体、並びに前記基礎スラブの内底面全体に設けた現場発泡施工による硬質発泡ウレタン層と、
を有することを特徴とし、
前記基礎構造体の床下領域部分に配設した防湿材と、床下空間領域の内壁面及び内底面全体に配設した硬質発泡ウレタン層とをもって、床下空間領域を密閉構造とし、床下空間領域に対して特に防湿効果を発揮させ、併せて断熱効果、防虫効果を発揮させることができるようにしたことを特徴とする建築物の床下密閉構造。
【請求項５】
前記基礎構造体は、コンクリートからなるものであることを特徴とする請求項１乃至４のいずれかに記載の建築物の床下密閉構造。
【請求項６】
請求項１乃至５のいずれかに記載の床下密閉構造を施工した基礎構造体を建築物本体の基礎として有することを特徴とする建築物の床下密閉構造を備えた建築物。
【考案の詳細な説明】
【技術分野】
【０００１】
本考案は、建築物における土台等の下部を占める基礎構造体の床下空間領域の内壁面や内底面全体を、現場発泡施工による密閉構造とし、特に優れた防湿効果を発揮させ、併せて断熱効果、防虫（防蟻）効果を発揮させることが可能な建築物の床下密閉構造及び該床下密閉構造を備えた建築物に関するものである。
【背景技術】
【０００２】
まず、図７を参照して、一般的な戸建木造住宅等の建築物５１のコンクリート等の基礎構造体６１について概説する。
【０００３】
前記コンクリート等の基礎構造体６１は、特定の土地上に構築した建築物５１における土台５２等の下部で、地面６２とともに床下空間領域６３を画するように構成している。
【０００４】
前記コンクリート等の基礎構造体６１は、下部を地面６２内に埋設し上部を地面６２よりも垂直上方に突出させた外周基礎部６４と、床下空間領域６３の例えば底面中央部に設けた束石部６５とを具備するとともに、前記外周基礎部６４の一部に前記床下空間領域６３を外気に連通させる通気口６６を設けている。
【０００５】
そして、前記束石部６５上に束柱６７を立て、前記外周基礎部６４及び束柱６７の上面に土台５２を配置し、更に、土台５２の隅部から垂直上方に建築物５１の外壁となる壁体６８を設け、また、前記土台５２や図示しない大引の上に床板６９を敷設し、居室等を構成するようになっている。
【０００６】
このような建築物５１においては、前記床下空間領域６３を形成するコンクリート等の基礎構造体６１に対する特に防湿対策、併せて断熱対策、防虫（防蟻）対策が良好な居住性の確保、省エネルギー、耐久性向上等の観点から極めて重要となる。
【０００７】
従来から試みられているコンクリート等の基礎構造体６１に対する特に防湿対策、併せて防湿対策、断熱対策、防虫（防蟻）対策について以下に概説する。
【０００８】
まず、防湿対策としては、例えばコンクリート等の基礎構造体６１の一部に床下換気扇を配置して、床下空間領域６３の換気を行う方法があるが、費用対効果を考えるとあまり効果的ではない。
【０００９】
調湿材、炭等をコンクリート等の基礎構造体６１内に配置する場合もあるが、施工時に防湿シートを引く必要があり、防湿シートの下が害虫の住処になることが多く隙間から床下に出てくる場合がある。
【００１０】
前記コンクリート等の基礎構造体６１が布基礎の場合には、後からコンクリート等を打設することも可能であるがが多大な費用がかかる。
【００１１】
次に、断熱対策としては、コンクリート等の基礎構造体６１の内壁等に断熱材を張設することが多いが、施工時に隙間ができたり、経年したことで断熱材が床板から落ちたりして十分な断熱効果を長期間にわたって維持することは困難である。
【００１２】
更に、防虫（防蟻）対策に関しては、床下にシロアリ等の害虫がいるかいないかの判断が難しく、また、床下空間領域６３等における害虫駆除は安価にては実現し難い。
【００１３】
また、従来から行われている建築工法では、コンクリート等の基礎構造体６１と土台５２や大引きとの間、前記通気口６６、図示しないが基礎パッキン部分の隙間からの害虫の侵入を防ぐことは容易ではない。
【００１４】
このように、戸建住宅等の完成後の年数に関係なく、防湿、断熱、防虫工事に関しては施主が気づきにくい部分が多く、相当の年数がたった後に各分野の専門業者に指摘等されて始めて設備機器の交換、防虫ための消毒等の対策工事を実行することが多く、これらの場合には高額の費用が必要になるのが実情である。
【００１５】
特許文献１には、外周の土台下にアルミ熱線反射材を敷き、屋外側に所定寸法伸ばしておき、建築物の屋外側に取り付けられた前記アルミ熱線反射材の下に重ね合わせてアルミ製の気密テープを貼り、基礎外周部土台下より屋内側に伸びてきた前記アルミ熱線反射材を基礎の内側においてスポット接着して床下の防湿コンクリート等の上面まで貼り付け、更に、床下の防湿コンクリート等の上面では建築物外周部基礎より屋内側に一定の長さまで、アルミ熱線反射材をスポット接着方法にて貼り付け、その両者の室内側に現場発泡の硬質ウレタン断熱材を一定範囲で吹き付け施工する。そして、残りの屋内側床下防湿コンクリート等の部分は地中の熱を取り入れるため遮熱、断熱施工はせずにそのままとする構成とした建築物を丸ごと遮熱、断熱施工する工法が提案されている。
【００１６】
また、特許文献２には、 外周部分を囲むコンクリート等の基礎梁と、該基礎梁に連続してその内側底部に形成されたコンクリート等の基礎スラブを有する船底型コンクリート等の基礎を蓄熱体とした蓄熱型基礎であって、基礎スラブ内に発熱体が埋設され、且つ基礎梁及び基礎スラブの全外周が合成樹脂発泡板からなる断熱材で覆った構成の蓄熱型基礎が提案されている。
【００１７】
しかしながら、上記特許文献１、２に開示された技術を含め、建築物における土台等の下部を占める基礎構造体の床下空間領域の内壁面や内底面全体を、現場発泡施工による密閉構造とし、特に優れた防湿効果を発揮させ、併せて断熱効果、防虫（防蟻）効果を発揮させることができる内容の考案は存在しないのが現状である。
【先行技術文献】
【特許文献】
【００１８】
【特許文献１】特開２０１２−１７２５１３号公報
【特許文献２】特開２００１−２０４０３号公報
【考案の概要】
【考案が解決しようとする課題】
【００１９】
本考案が解決しようとする問題点は、建築物の土台等の下部を占める基礎構造体の床下空間領域の内壁面や内底面全体を、現場発泡施工による密閉構造とし、特に優れた防湿効果を発揮させ、併せて断熱効果、防虫（防蟻）効果を発揮させることができる建築物の床下密閉構造が存在しない点である。
【課題を解決するための手段】
【００２０】
本考案は、土地上に構築した建築物における土台等の下部で地面とともに床下空間領域を画する建築物の例えばコンクリート等の等の基礎構造体用の床下密閉構造であって、前記コンクリート等の等の基礎構造体内部の地面全体に敷設した防湿用の下地処理材と、前記コンクリート等の等の基礎構造体の床下空間領域に臨む内壁面全体及び前記下地処理材の上面全体に設けた現場発泡施工による硬質発泡ウレタン層と、を有することを最も主要な特徴とする。
【考案の効果】
【００２１】
請求項１記載の考案によれば、一回の施工のみで、コンクリート等の等の基礎構造体において特に優れた防湿効果を発揮し、併せて断熱効果、防虫（防蟻）効果を発揮することができるという斬新で優れた効果を奏する建築物の床下密閉構造を実現し提供することができる。
【００２２】
請求項２記載の考案によれば、床下空間領域を外気に連通させる通気口を設けた建築物のコンクリート等の等の基礎構造体の場合に、一回の施工のみで、前記コンクリート等の等の基礎構造体において特に優れた防湿効果を発揮し、併せて断熱効果、防虫（防蟻）効果を発揮することができるという斬新で優れた効果を奏する建築物の床下密閉構造を実現し提供することができる。
【００２３】
請求項３記載の考案によれば、基礎梁及び該基礎梁に連続して内底部を形成する基礎スラブにより床下空間領域を画する船底型の建築物におけるコンクリート等の等の基礎構造体の場合に、一回の施工のみで、コンクリート等の等の基礎構造体において特に優れた防湿効果を発揮し、併せて断熱効果、防虫（防蟻）効果を発揮することができるという斬新で優れた効果を奏する建築物のコンクリート等の基礎構造体用の床下密閉構造を実現し提供することができる。
【００２４】
請求項４記載の考案によれば、基礎梁及び該基礎梁に連続して内底部を形成する基礎スラブにより床下空間領域を画する船底型で、かつ、基礎梁の一部に通気口を有する建築物におけるコンクリート等の等の基礎構造体の場合に、一回の施工のみで、コンクリート等の等の基礎構造体において特に優れた防湿効果を発揮し、併せて断熱効果、防虫（防蟻）効果を発揮することができるという斬新で優れた効果を奏する建築物の床下密閉構造を実現し提供することができる。
請求項５記載の考案によれば、前記基礎構造体をコンクリートから形成して請求項１乃至４記載の各効果を発揮できる。
【００２５】
請求項６記載の考案によれば、請求項１乃至４のいずれかの考案における上述したような優れた効果を奏する床下密閉構造を建築物本体の基礎として有することから、特に床下部分の優れた防湿効果を発揮し、併せて断熱対策、防虫（防蟻）対策が万全で、良好な居住性の確保、省エネルギー、耐用年数の延長を実現し、リフォームの費用対効果の軽減をも実現することができる建築物を実現し提供することができる。
【図面の簡単な説明】
【００２６】
【図１】図１は本考案の実施例１に係る建築物のコンクリート等の等の基礎構造体用の床下密閉構造を示す概略断面図である。
【図２】図２は本実施例１に係る建築物のコンクリート等の等の基礎構造体を示す概略断面図である。
【図３】図３は本実施例１に係るコンクリート等の基礎構造体に対する床下密閉構造の施工過程を示す概略断面図である。
【図４】図４は本実施例１に係る床下密閉構造を含むコンクリート等の基礎構造体及び建築物本体を有する建築物の概略構成図である。
【図５】図５は本考案の実施例２に係る建築物のコンクリート等の基礎構造体用の床下密閉構造を示す概略断面図である。
【図６】図６は本実施例２に係る建築物のコンクリート等の基礎構造体を示す概略断面図である。
【図７】図７は建築物のコンクリート等の基礎構造体を示す概略断面図である。
【考案を実施するための形態】
【００２７】
本考案は、建築物における土台等の下部を占める基礎構造体の床下空間領域の内壁面や内底面全体を、現場発泡施工による密閉構造とし、特に優れた防湿効果を発揮させ、併せて断熱効果、防虫（防蟻）効果を発揮させることができる建築物の床下密閉構造を提供するという目的を、土地上に構築した建築物における土台等の下部で地面とともに床下空間領域を画するとともに床下空間領域を外気に連通させる通気口を設けた建築物のコンクリート等の等の基礎構造体用の床下密閉構造であって、前記コンクリート等の等の基礎構造体内部の地面全体に敷設した防湿用の下地処理材と、前記通気口を床下空間領域側から閉塞する閉塞板と、前記コンクリート等の基礎構造体の床下空間領域に臨む内壁面及び前記閉塞板の板面全体、並びに前記下地処理材の上面全体に設けた現場発泡施工による硬質発泡ウレタン層と、を有する構成により実現した。
【実施例】
【００２８】
以下、本考案の実施例に係る建築物の床下密閉構造及び該床下密閉構造を備えた建築物について、添付の図面を参照して詳細に説明する。
【００２９】
（実施例１）
本考案の実施例１に係る建築物２１の例えばコンクリート等の等の基礎構造体１用の床下密閉構造１１及び該床下密閉構造１１を備えた建築物２１について、図１乃至図３を参照して詳細に説明する。なお、本考案においては、基礎構造体としてはコンクリート等の以外の素材であっても適用できることは勿論である。
【００３０】
本実施例１に係る建築物２１の基礎構造体１は、図１、図２に示すように、特定の土地上に構築した建築物２１における土台２２等の下部で、地面２とともに床下空間領域３を画するように構成している。
【００３１】
前記例えばコンクリート等の基礎構造体１は、下部を地面２内に埋設し上部を地面２よりも垂直上方に突出させた外周基礎部４と、床下空間領域３の例えば底面中央部に設けた束石部５とを具備するとともに、前記外周基礎部４の一部に前記床下空間領域３を外気に連通させる通気口６を設けている。
【００３２】
前記束石部５上に束柱７を立て、前記外周基礎部４及び束柱７の上面に土台２２を配置し、更に、土台２２の隅部から垂直上方に建築物２１の外壁となる壁体２３を設け、また、前記土台２２や図示しない大引の上に床板２４を敷設し、居室等を構成するようになっている。
【００３３】
次に、本実施例１に係る建築物２１のコンクリート等の基礎構造体１に付加する床下密閉構造１１について、図１乃至図３を参照して詳述する。
【００３４】
まず、図２に示す前記コンクリート等の基礎構造体１に対して、床下空間領域３を画する地面２上で前記外周基礎部４の内壁面と束石部５の壁面との間にビニールシート等の防湿用の下地処理材１２を図３に示すように地面２に密接する状態に敷設する。
【００３５】
また、前記通気口６に対しては床下空間領域３側から合成樹脂板又は木板等からなる閉塞板１３をこの通気口６を完全に閉塞するように取り付ける。
【００３６】
次に、前記コンクリート等の基礎構造体１の床下空間領域３に臨む前記外周基礎部４の内壁面及び前記閉塞板１３の板面全体、並びに前記下地処理材１２の上面全体に対して硬質発泡ウレタン剤を公知の現場発泡施工により隙間なく吹き付け、これらの各面上に硬質発泡ウレタン層１４を形成する。
なお、特に図示するものではないが、基礎構造体１の床下領域部分、すなわち、床面の下層に位置する床下空間領域における上面には、当該床下空間領域の上面に既存施工のような適宜防湿材や断熱材が施されているか否かを問わず、外周基礎部４の内壁面及び底面の硬質発泡ウレタン層１４と連続するような状態で硬質発泡ウレタン層１４を形成しても良い。
【００３７】
これにより、図１に示すような本実施例１に係る基礎構造体１の床下密閉構造１１を得ることができる。
なお、前記通気口６を設けていないコンクリート等の基礎構造体１においては、上述した閉塞板１３の取り付け工程は不要であることは勿論である。
【００３８】
前記硬質発泡ウレタン剤は、例えば、ＪＩＳ  Ａ  ９５２６に定めるＡ種３、記号：ＮＦ３の硬質ウレタンフォーム原液を用いるものである。
この硬質ウレタンフォーム原液は、壁等の充填断熱工法用途に用いる低密度非耐力性吹き付け剤である。
【００３９】
また、前記硬質発泡ウレタン層１４の物性値の一例としては、熱伝導率：０．０３６Ｗ／（ｍ・Ｋ）（工業会設計推奨値：０．０４０Ｗ／（ｍ・Ｋ））、透湿係数：６８０〜５２６ｎｇ／ｍ２・ｓ・Ｐａ、透湿率：１７．２〜１３．４ｎｇ／ｍ２・ｓ・Ｐａの例を挙げることができる。
【００４０】
これらの物性値は、株式会社ソフランウィズ製のソフラン−Ｒ：ハンドレッドフォーム（ＳＰ０１）に相当するものである。
【００４１】
本実施例１に係る建築物２１におけるコンクリート等の基礎構造体１用の床下密閉構造１１によれば、以下のような作用、効果を発揮する。
【００４２】
前記硬質発泡ウレタン層１４の現場発泡施工前において地面２上に下地処理材１２を敷き、また、閉塞板１３により通気口６を完全に閉塞した後、硬質発泡ウレタン層１４を形成するので、地面２から床下空間領域３へ入ろうとする湿気を確実に遮断することができるとともに、通気口６から床下空間領域３へ入ろうとする湿気も遮断することができる。
【００４３】
また、前記床下空間領域３に臨む前記外周基礎部４の内壁面全体にも硬質発泡ウレタン層１４を形成するので、コンクリート等の外周基礎部４の結露予防も十分に行うことができる。
【００４４】
更に、前記閉塞板１３の板面を含む外周基礎部４の内壁面上部まで硬質発泡ウレタン層１４を形成するので、壁面の空洞部分が無くなり、外部からのシロアリ等の害虫の侵入も完璧に防止できる。
【００４５】
このように、本実施例１に係る建築物２１のコンクリート等の基礎構造体１用の床下密閉構造１１によれば、従来のように断熱、防湿、防虫の各対策を個別的に行っていた場合と比較して、一回の施工のみで、コンクリート等の基礎構造体１における特に優れた防湿効果を発揮させ、併せて断熱効果、防虫（防蟻）効果を発揮させることができるという斬新で優れた効果を奏するものである。
【００４６】
図４は、上述した床下密閉構造１１を施工したコンクリート等の基礎構造体１を建築物本体２５の基礎として有する例えば木造住宅のような建築物２１を示すものであり、この建築物２１によれば、上述したような優れた効果を奏する床下密閉構造１１を備えることにより、特に床下部分の特に優れた防湿効果を発揮させ、併せて断熱効果、防虫（防蟻）効果を発揮させることができ、良好な居住性の確保、省エネルギー、耐用年数の延長を実現し、リフォームの費用対効果の軽減をも実現することができるという斬新で優れた効果を発揮するものである。
【００４７】
（実施例２）
次に、図５、図６を参照して、本考案の実施例２に係る建築物２１におけるコンクリート等の基礎構造体１Ａ用の床下密閉構造３１について説明する。
【００４８】
なお、本実施例２において、既述した実施例１の場合と同一の要素には同一の符号を付して示す。
【００４９】
本実施例２に係る建築物２１のコンクリート等の基礎構造体１Ａは、図６に示すように、土地上に構築した建築物２１における土台２２等の下部において、外周を画し外気に連通させる通気口を設けた基礎梁３２及びこの基礎梁３２に連続して内底部を形成する基礎スラブ３３により床下空間領域３４を画する船底型に構成している。
【００５０】
また、前記基礎梁３２の一部には、床下空間領域３４を外気に連通させる通気口３５を設けている。
【００５１】
前記床下空間領域３４の例えば底面中央部に束石部３６を設け、前記束石部３６上に束柱３７を立て、前記基礎梁３２及び束柱３７の上面に土台２２を配置し、土台２２の隅部から垂直上方に建築物２１の外壁となる壁体２３を設け、更に、前記土台２２や図示しない大引の上に床板２４を敷設し、居室等を構成するようになっている。
【００５２】
次に、本実施例２に係る建築物２１のコンクリート等の基礎構造体１Ａに付加する床下密閉構造３１について、図５、図６を参照して詳述する。
【００５３】
まず、図６に示す前記コンクリート等の基礎構造体１Ａに対して、前記通気口３５の床下空間領域３４側から合成樹脂板又は木板等からなる閉塞板３８をこの通気口３５を完全に閉塞するように取り付ける。
【００５４】
次に、前記コンクリート等の基礎構造体１の床下空間領域３４に臨む基礎梁３２の内壁面及び前記閉塞板３８の板面全体、並びに前記基礎スラブ３３の上面全体に対して硬質発泡ウレタン剤を公知の現場発泡施工により隙間なく吹き付け、これらの各面上に硬質発泡ウレタン層１４を形成する。
【００５５】
これにより、図５に示すような本実施例２に係る基礎構造体１の床下密閉構造３１を得ることができる。
なお、前記通気口３５を設けていないコンクリート等の基礎構造体１Ａにおいては、上述した閉塞板３８の取り付け工程は不要であることは勿論である。
【００５６】
前記硬質ウレタンフォーム原液は、前記実施例１の場合と同一のものを用いるものであり、また、前記硬質発泡ウレタン層１４の物性値も実施例１の場合と同様である。
【００５７】
本実施例２に係る建築物２１におけるコンクリート等の基礎構造体１Ａ用の床下密閉構造３１によれば、以下のような作用、効果を発揮する。
【００５８】
前記硬質発泡ウレタン層１４の現場発泡施工前において、前記閉塞板３８により通気口３５を完全に閉塞した後、硬質発泡ウレタン層１４を形成するので、通気口３５から床下空間領域３４へ入ろうとする湿気を確実に遮断することができる。
【００５９】
また、前記床下空間領域３４に臨む前記基礎梁３２の内壁面及び前記閉塞板３８の板面全体、並びに前記基礎スラブ３３の上面全体に対して硬質発泡ウレタン層１４を形成するので、コンクリート等の製の前記基礎梁３２、基礎スラブ３３の結露予防を十分に行うことができる。
【００６０】
更に、前記閉塞板１３の板面を含む外周基礎部４の内壁面上部まで硬質発泡ウレタン層１４を形成するので、壁面の空洞部分が無くなり、外部からのシロアリ等の害虫の侵入も完璧に防止できる。
【００６１】
このように、本実施例２に係る建築物２１のコンクリート等の基礎構造体１Ａ用の床下密閉構造３１によれば、従来のように断熱、防湿、防虫の各対策を個別的に行っていた場合と比較し、実施例１の場合と同様に、一回の施工のみでコンクリート等の基礎構造体１Ａにおける特に優れた防湿効果を発揮させ、併せて断熱効果、防虫（防蟻）効果を発揮させることができるという斬新で優れた効果を奏するものである。
【００６２】
また、本実施例２においても、上述した床下密閉構造３１を施工したコンクリート等の基礎構造体１Ａを図４に示す場合と同様な建築物本体２５の基礎として有する例えば木造住宅のような建築物（図示せず）とすることにより、上述したような優れた効果を奏する床下密閉構造３１を備えることから、特に床下部分の特に優れた防湿効果を発揮させ、併せて断熱効果、防虫（防蟻）効果を発揮させることができ、良好な居住性の確保、省エネルギー、耐用年数の延長を実現し、リフォームの費用対効果の軽減をも実現することができるという斬新で優れた効果を発揮するものである。
【産業上の利用可能性】
【００６３】
本考案に係るコンクリート等の基礎構造体用の床下密閉構造は、木造軸組構法による住宅、基礎パッキン工法による住宅、プレハブ住宅、ツーバイフォー住宅等のような各種形式の建築物の基礎構造として広範に適用可能である。
【符号の説明】
【００６４】
１    コンクリート等の基礎構造体
１Ａ  コンクリート等の基礎構造体
２    地面
３    床下空間領域
４    外周基礎部
５    束石部
６    通気口
７    束柱
１１    床下密閉構造
１２    下地処理材
１３    閉塞板
１４    硬質発泡ウレタン層
２１    建築物
２２    土台
２３    壁体
２４    床板
２５    建築物本体
３１    床下密閉構造
３２    基礎梁
３３    基礎スラブ
３４    床下空間領域
３５    通気口
３６    束石部
３７    束柱
３８    閉塞板
【図１】
0003187597.tif 000003
【図２】
0003187597.tif 000004
【図３】
0003187597.tif 000005
【図４】
0003187597.tif 000006
【図５】
0003187597.tif 000007
【図６】
0003187597.tif 000008
【図７】
0003187597.tif 000009